(57)【要約】【課題】駐車違反の取締りの際に、取締りに関する各種情報を迅速に且つ正確に入力することができるようにする。【解決手段】警察官又は監視員が携帯端末装置１００００で放置車両撮影時に、ＩＣタグ１００１９付きナンバープレートから、車両番号等の情報を取得することで、携帯端末装置１００００内にその情報を入力する。同時に、放置車両の撮影位置情報を取得することで、携帯端末装置１００００内に保持している位置情報と違反態様を関連付けたデータベース１０００３から、位置情報に対応した違反態様の情報を検索して表示する。警察官又は監視員は、抽出され表示された違反態様の情報を選択することで、違反態様の入力を行う。【選択図】図１
2009294935.tif 000002
【特許請求の範囲】
【請求項１】
車両個々を識別するための車両識別情報を格納したＩＣタグを備えた車両を対象として駐車車両の取締りを行う際に、その駐車車両に該当する法令違反態様の入力を支援するシステムであって、
駐車車両が該当法令の違反行為を構成することとなる区画を規定する座標データである区画座標データと、前記各区画を識別するための区画識別情報とが対応づけて格納されている区画情報データベースと、前記区画情報データベースに格納される各レコードに該当する区画について規定されている違反態様情報とが対応付けて格納されている違反態様情報データベースと、を格納する記憶部と、
取締り対象車両に付属するＩＣタグから車両識別情報を取得するＩＣタグ情報取得機能と、
ＧＰＳ衛星からの信号を受信してそれを演算処理することにより自身の現在位置を示す位置情報を取得する位置情報取得機能と、
現在時刻を取得する機能と、
前記位置情報取得機能により取得した自身の位置情報と前記区画情報データベースに記録されている区画座標データとを比較して、前記自身の位置情報が前記区画情報データベースに記録されている区画座標データによって特定される領域に含まれると判定した場合に、前記区画座標データと対応づけられている区画識別情報によって前記違反態様情報データベースを検索して、前記区画識別情報と対応づけられている違反態様情報を抽出して表示する機能と、
前記抽出された違反態様情報についてユーザの選択を受付ける機能と、
前記ＩＣタグ情報取得機能により得た取り締まり対象車輌の車両識別情報と、前記選択を受け付けた違反態様情報と、前記現在時刻を取得する機能により取得した現在日時情報とを対応付けて記憶する機能と、
前記記憶した車両識別情報と、前記選択を受け付けた違反態様情報と、現在日時情報とを第２の情報処理装置に送信する機能と、を実行する制御部と、
を備えた第１の情報処理装置と、
駐車車両取締りに関する情報を格納する取締り情報データベースを記憶する記憶部と、
前記第１の情報処理装置から送信されてくる、車両識別情報と前記選択した違反態様情報と現在日時情報とを受信して前記取締り情報データベースに登録する機能を実行する制御部と、を備えた第２の情報処理装置と、
を含むことを特徴とする違反態様入力支援システム。
【請求項２】
前記第１の情報処理装置は、
前記記憶部において、盗難車両についてその車両識別情報を格納してなる盗難車両データベースを備え、
前記制御部が、前記取得した車両識別情報をキーとして前記盗難車両データベースを検索する機能と、前記検索の結果により前記盗難車両データベースに前記車両識別情報に一致するデータが存在すると判定した場合に、その判定結果を表示部に表示する機能とを実行する
ことを特徴とする、請求項１に記載の違反態様入力支援システム。
【請求項３】
前記第１の情報処理装置において、前記制御部が、
駐車車両の駐車開始時刻データを前記第１の情報処理装置へ送信する機能を備えたパーキングメータと情報を送受信する機能と、
前記パーキングメータから前記駐車開始時刻データを取得する機能と、
自身の現在時刻データ、前記駐車開始時刻データ、及びあらかじめ記憶している駐車可能時間データとから駐車超過時間を算出する機能と、
前記算出した超過時間を前記表示部に表示する機能と、をさらに実行する、
ことを特徴とする、請求項１又は２に記載の違反態様入力支援システム。
【請求項４】
前記第１の情報処理装置において前記制御部が、
ＩＣタグを備えたパーキングチケットを発給するパーキングチケット発給機と情報を送受信する機能と、
前記パーキングチケットが備えるＩＣタグに格納されている当該パーキングチケットを識別するためのパーキングチケット識別情報を取得する機能と、
前記取得したパーキングチケット識別情報に対応づけられている発給時刻データを前記パーキングチケット発給機から取得する機能と、
自身の現在時刻データ、前記発給時刻データ、及びあらかじめ記憶している駐車可能時間データとから駐車超過時間を算出する機能と、
算出した超過時間を前記表示部に表示する機能と、をさらに実行する、
ことを特徴とする請求項１又は２に記載の違反態様入力支援システム。
【請求項５】
車両個々を識別するための車両識別情報を格納したＩＣタグを備えた車両を対象として駐車車両の取締りを行う際に、その駐車車両に該当する法令違反態様の入力を支援するシステムで使用される第１の情報処理装置であって、
駐車車両が該当法令の違反行為を構成することとなる区画を規定する座標データである区画座標データと、前記各区画を識別するための区画識別情報とが対応づけて格納されている区画情報データベースと、前記区画情報データベースに格納される各レコードに該当する区画について規定されている違反態様情報とが対応付けて格納されている違反態様情報データベースと、を格納する記憶部と、
取締り対象車両に付属するＩＣタグから車両識別情報を取得するＩＣタグ情報取得機能と、
ＧＰＳ衛星からの信号を受信してそれを演算処理することにより自身の現在位置を示す位置情報を取得する位置情報取得機能と、
現在時刻を取得する機能と、
前記位置情報取得機能により取得した自身の位置情報と前記区画情報データベースに記録されている区画座標データとを比較して、前記自身の位置情報が前記区画情報データベースに記録されている区画座標データによって特定される領域に含まれると判定した場合に、前記区画座標データと対応づけられている区画識別情報によって前記違反態様情報データベースを検索して、前記区画識別情報と対応づけられている違反態様情報を抽出して表示する機能と、
前記抽出された違反態様情報についてユーザの選択を受付ける機能と、
前記ＩＣタグ情報取得機能により得た取り締まり対象車輌の車両識別情報と、前記選択を受け付けた違反態様情報と、前記現在時刻を取得する機能により取得した現在日時情報とを対応付けて記憶する機能と、
前記記憶した車両識別情報と、前記選択を受け付けた違反態様情報と、現在日時情報とを第２の情報処理装置に送信する機能と、を実行する制御部と、を備える、
ことを特徴とする情報処理装置。
【請求項６】
前記制御部が、さらに、駐車車両の画像データを取得する機能と、駐車車両の駐車位置に対応する住所データを取得する機能と、前記駐車車両の画像データと、前記選択した違反態様の情報と、前記現在時刻データと、前記住所データとから前記駐車車両の違反行為についての確認標章を印刷する機能とを実行する、ことを特徴とする請求項５に記載の第１の情報処理装置。
【請求項７】
車両個々を識別するための車両識別情報を格納したＩＣタグを備えた車両を対象として駐車車両の取締りを行う際に、その駐車車両に該当する法令違反態様の入力を支援するシステムで使用される第１の情報処理装置であって、
駐車車両が該当法令の違反行為を構成することとなる区画を規定する座標データである区画座標データと、前記各区画を識別するための区画識別情報とが対応づけて格納されている区画情報データベースと、前記区画情報データベースに格納される各レコードに該当する区画について規定されている違反態様情報とが対応付けて格納されている違反態様情報データベースと、を格納する記憶部を備えている第１の情報処理装置に、
取締り対象車両に付属するＩＣタグから車両識別情報を取得するステップと、
ＧＰＳ衛星からの信号を受信してそれを演算処理することにより自身の現在位置を示す位置情報を取得するステップと、
現在時刻を取得するステップと、
前記取得した自身の位置情報と前記区画情報データベースに記録されている区画座標データとを比較して、前記自身の位置情報が前記区画情報データベースに記録されている区画座標データによって特定される領域に含まれると判定した場合に、前記区画座標データと対応づけられている区画識別情報によって前記違反態様情報データベースを検索して、前記区画識別情報と対応づけられている違反態様情報を抽出して表示するステップと、
前記抽出された違反態様情報についてユーザの選択を受付けるステップと、
前記取り締まり対象車輌の車両識別情報と、前記選択を受け付けた違反態様情報と、前記取得した現在日時情報とを対応付けて記憶するステップと、
前記記憶した車両識別情報と、前記選択を受け付けた違反態様情報と、現在日時情報とを第２の情報処理装置に送信するステップと、を実行させる、
ことを特徴とするプログラム。
【請求項８】
車両個々を識別するための車両識別情報を格納したＩＣタグを備えた車両を対象として駐車車両の取締りを行う際に、その駐車車両に該当する法令違反態様の入力を支援する方法であって、
駐車車両が該当法令の違反行為を構成することとなる区画を規定する座標データである区画座標データと、前記各区画を識別するための区画識別情報とが対応づけて格納されている区画情報データベースと、前記区画情報データベースに格納される各レコードに該当する区画について規定されている違反態様情報とが対応付けて格納されている違反態様情報データベースと、を格納する第１の情報処理装置は、
取締り対象車両に付属するＩＣタグから車両識別情報を取得し、
ＧＰＳ衛星からの信号を受信してそれを演算処理することにより自身の現在位置を示す位置情報を取得し、
現在時刻を取得し、
前記取得した自身の位置情報と前記区画情報データベースに記録されている区画座標データとを比較して、前記自身の位置情報が前記区画情報データベースに記録されている区画座標データによって特定される領域に含まれると判定した場合に、前記区画座標データと対応づけられている区画識別情報によって前記違反態様情報データベースを検索して、前記区画識別情報と対応づけられている違反態様情報を抽出して表示し、
前記抽出された違反態様情報についてユーザの選択を受付け、
前記取り締まり対象車輌の車両識別情報と、前記選択を受け付けた違反態様情報と、前記取得した現在日時情報とを対応付けて記憶し、
前記記憶した車両識別情報と、前記選択を受け付けた違反態様情報と、現在日時情報とを第２の情報処理装置に送信し、
駐車車両取締りに関する情報を格納する取締り情報データベースを記憶する記憶部を備える第２の情報処理装置は、
前記第１の情報処理装置から送信されてくる、車両識別情報と前記選択した違反態様情報と現在日時情報とを受信して前記取締り情報データベースに登録する、
ことを特徴とする違反態様入力支援方法。
【発明の詳細な説明】
【技術分野】
【０００１】
本発明は、違反態様入力支援システム、情報処理装置、プログラム、及び違反態様入力支援方法に係わり、特に放置駐車違反車両の取締り業務において違反態様の入力を支援する違反態様入力支援システム、情報処理装置、プログラム、及び違反態様入力支援方法に関する。
【背景技術】
【０００２】
２００６年６月１日より施行された道路交通法により、従来の駐車違反取締りでは運転者に「反則金」を請求していたのに加え、新たに放置車両の車籍証に登録されている所有者に対しても「違反金」を請求するように規定がなされた。この新しい駐車違反の態様を「放置駐車違反」と称する。
【０００３】
放置駐車違反に関する情報を警察署に備えるシステムに登録する際には、取締りの対象である駐車車両の車両番号、車種等の車両情報、及び放置駐車違反の違反態様を入力する必要がある。この違反態様については、違反確認日時、駐車場所、道路標識等、様々な現場の状況に応じ異なる態様をとりうる。
【０００４】
また、放置駐車違反を取り締まる警察官や監視員は、前記のような違反情報を入力するために、取締り対象の車両番号、車種、違反確認日時、駐車場所、現場設置の道路標識等の状況を目視にて判断し、携行する携帯端末装置に入力して違反態様に適合する確認標章を現場で発行する必要がある。
【０００５】
このような確認した車両情報等を携帯端末装置へ入力する際にこれを支援する方法としては、例えば特許文献１に記載されているように、ナンバープレートを無線通信により読取る方法がある。この技術では、車両番号等の情報を搭載したナンバープレートを車両に取り付けることにより、通信機能をもった携帯電話によってナンバープレートの情報を読取り、車両情報を蓄積しているセンタへ送信することで、車両照会を実施する事ができるとされている。
【特許文献１】特開２００７−８６８５８号公報
【発明の開示】
【発明が解決しようとする課題】
【０００６】
特許文献１に提案の方法によれば、放置駐車車両を取り締まる際に、車両番号、車種等の違反車の車両情報を誤りなく入力することが可能となると考えられるが、違反態様については警察官や監視員が現場の状況から判断して決定する必要がある。このため経験の浅い監視員等が取締りを実施する際には、違反態様の判定に影響する現場の要素を見落として誤った違反態様を認定してしまうことがあるという問題があった。
【０００７】
本発明の一つの目的は、前記課題を解決し、駐車違反の取締り業務を行う警察官又は監視員が、取締り対象車両の車両番号、車種等の車両情報とともに、適切な違反態様を判定して入力することを支援する違反態様入力支援システム、情報処理装置、プログラム、及び違反態様入力支援方法を提供することである。
【課題を解決するための手段】
【０００８】
前記の及び他の目的を達成するために、本願発明の一態様に係る違反態様入力支援システムは、車両個々を識別するための車両識別情報を格納したＩＣタグを備えた車両を対象として駐車車両の取締りを行う際に、その駐車車両に該当する法令違反態様の入力を支援するシステムであって、駐車車両が該当法令の違反行為を構成することとなる区画を規定する座標データである区画座標データと、前記各区画を識別するための区画識別情報とが対応づけて格納されている区画情報データベースと、前記区画情報データベースに格納される各レコードに該当する区画について規定されている違反態様情報とが対応付けて格納されている違反態様情報データベースと、を格納する記憶部と、取締り対象車両に付属するＩＣタグから車両識別情報を取得するＩＣタグ情報取得機能と、ＧＰＳ衛星からの信号を受信してそれを演算処理することにより自身の現在位置を示す位置情報を取得する位置情報取得機能と、現在時刻を取得する機能と、前記位置情報取得機能により取得した自身の位置情報と前記区画情報データベースに記録されている区画座標データとを比較して、前記自身の位置情報が前記区画情報データベースに記録されている区画座標データによって特定される領域に含まれると判定した場合に、前記区画座標データと対応づけられている区画識別情報によって前記違反態様情報データベースを検索して、前記区画識別情報と対応づけられている違反態様情報を抽出して表示する機能と、前記抽出された違反態様情報についてユーザの選択を受付ける機能と、前記ＩＣタグ情報取得機能により得た取り締まり対象車輌の車両識別情報と、前記選択を受け付けた違反態様情報と、前記現在時刻を取得する機能により取得した現在日時情報とを対応付けて記憶する機能と、前記記憶した車両識別情報と、前記選択を受け付けた違反態様情報と、現在日時情報とを第２の情報処理装置に送信する機能と、を実行する制御部とを備えた第１の情報処理装置と、駐車車両取締りに関する情報を格納する取締り情報データベースを記憶する記憶部と、前記第１の情報処理装置から送信されてくる、車両識別情報と前記選択した違反態様情報と現在日時情報とを受信して前記取締り情報データベースに登録する機能を実行する制御部と、を備えた第２の情報処理装置とを含むことを特徴とする。
【発明の効果】
【０００９】
本発明の一態様に係る違反態様入力支援システムによれば、駐車違反の取締り業務を行う警察官又は監視員が、取締り対象車両の車両番号、車種等の車両情報とともに、適切な違反態様を判定して入力することを支援する。
【発明を実施するための最良の形態】
【００１０】
以下、この発明の一実施形態である違反態様入力支援システムについて説明する。図１は本発明の一実施形態による違反態様入力支援システム１（以下「本システム１」という。）の全体構成図である。
【００１１】
本システム１は、これを構成する装置として、携帯端末装置１００００、プリンタ１００１３、各警察署に備えられるサーバ１００３０（以下「警察署サーバ」と略称する。）、及び各警察本部に備えられるサーバ１００４０（以下「本部サーバ」と略称する。）を含む。プリンタ１００１３は、携帯端末装置１００００と無線または有線で接続可能とされているオンラインプリンタであり、後述するように、携帯端末装置１００００からの標章等出力用として用いられる。
【００１２】
各携帯端末装置１００００と警察署サーバ１００３０との間、及び各警察署サーバ１００３０と本部サーバ１００４０との間は、それぞれ閉じた通信ネットワーク１００５０、１００５１を通じて通信可能に接続されている。なお、適切な通信上のセキュリティが確保される条件で、インターネット等の汎用通信ネットワークで接続することも排除するものではない。
【００１３】
本システム１を利用した駐車違反取締りの対象となる車両のナンバープレートあるいはそれに代わる他の車両の部分には、個々の車両を互いに識別するための識別符号データである車両番号データを格納したＩＣタグ１００２０が取り付けられる。
【００１４】
また、パーキングメータ設置場所での本システム１を利用した駐車違反取締りを実現するための装置としては、パーキングチケット発給機１００１１、及びパーキングメータ１００１２を備える。この場合、パーキングチケット発給機１００１１から発給されるパーキングチケットには固有の識別符号データを格納したＩＣタグ１００１９を添付する。
【００１５】
次に、本システム１に含まれる前記各装置について順次説明する。  
携帯端末装置１００００は、本システム１によって違反取締り業務を行う警察官又は監視員（ユーザ）が携帯するコンピュータであり、前記通信ネットワーク１００５０との通信機能を有し、携帯に適した比較的小型のコンピュータ（例えばモバイルコンピュータ、パーソナルデジタルアシスタント端末（ＰＤＡ）などが挙げられる。）であれば、適宜のものを採用することができる。
【００１６】
携帯端末装置１００００は、図１に示すように、入力部１０００１、データ処理部１０００２、コードデータベース（以下「コードＤＢ」と略称する。）１０００３、記憶装置１０００４、制御部１０００５、撮影機能部１０００６、ＧＰＳ機能部１０００７、時計機能部１０００８、ＩＣタグリーダライタ１０００９、通信制御部１００１０、及び表示部１００２１を備えている。
【００１７】
入力部１０００１は、携帯端末装置１００００への各種データ入力を行うために設けられ、例えば小型のキーボード、ペンスタイラス等で操作するタッチスクリーンなどである。
【００１８】
データ処理部１０００２は、後述するコードＤＢ１０００３へのデータ書き込み、検索、データ読み出しを管理するデータベース管理システム（ＤＢＭＳ）の機能を備える。また後述する通信制御部１００１０との間でのデータ授受も行う。また、携帯端末装置１００００の機能を実現すべく記憶装置１０００４に格納されている各プログラムが、制御部１０００５によりここで実行される。
【００１９】
コードＤＢ１０００３は、後述する区画情報データベースに関する複数のテーブルと違反態様情報データベースに関する複数のテーブルとを格納するデータベースであり、後述する記憶装置１０００４に記憶される。
【００２０】
記憶装置１０００４は、ハードディスクドライブ装置等の記憶デバイスであって、ここに説明する携帯端末装置１００００の各機能を実現するためのプログラム及び取得した情報データ等を記録する。
【００２１】
制御部１０００５は、携帯端末装置１００００全体の動作を制御するブロックであり、図示は省略するが、演算処理を行うＣＰＵ、携帯端末装置１００００で実行される各種プログラム、処理対象となるデータ等が格納されるＲＡＭ、ＲＯＭ等のメモリ、及び他の機能ブロックとの間でのデータ授受を管理する入出力インターフェイス部等を含む一般的な演算処理部としての構成を有する。前記記憶装置１０００４に記憶されている各プログラムは、制御部１０００５のメモリに展開されてＣＰＵにより処理される。
【００２２】
撮影機能部１０００６は、取締り対象車両の画像データを取得する機能ブロックであり、ＣＣＤ素子等の撮像デバイスと、それにより取得された画像データについて適宜の圧縮変換処理（例えばＪＰＥＧ形式データへの変換）等を行うための周辺回路が必要に応じて設けられる。
【００２３】
ＧＰＳ機能部１０００７は、ＧＰＳ（Global Positioning System、全地球測位システム）により携帯端末装置１００００の位置情報を取得する機能ブロックで、ＧＰＳ衛星からの信号を受信するアンテナ及び受信部、受信したＧＰＳデータの処理及び地図データとのマッチング処理を行うデータ処理部を含む。
【００２４】
時計機能部１０００８は、携帯端末装置１００００としての現在時刻情報を保持する機能ブロックであり、制御部１０００５が生成、使用しているシステムクロック、あるいはＧＰＳ機能部１０００７がＧＰＳデータから取得する時刻データを利用して現在時刻情報を保持する。
【００２５】
ＩＣタグリーダライタ１０００９は、取締り対象車両のナンバープレート等に取り付けられているＩＣタグに記録されたそのナンバープレート等固有の、すなわちそのナンバープレート等が取り付けられている車両固有の情報である車両番号情報を取得する。ＩＣタグリーダライタ１０００９は、前記ＩＣタグ１００２０とのデータ通信を行うためのアンテナと、アンテナが受信した前記車両番号情報データ信号を、制御部１０００５でＣＰＵが処理できる形式に変換処理する信号処理部を含む。
【００２６】
通信制御部１００１０は外部機器と通信する機能を有し、通信ネットワーク１００５０を通じて他の通信制御部、例えば後述する警察署サーバ１００３０と、あるいは無線ＬＡＮ等の適宜の通信手段によって後述するパーキングチケット発給機１００１１、パーキングメータ１００１２、又はプリンタ１００１３とのデータ通信を行う通信インターフェイス部を含む。
【００２７】
表示部１００２１は、データ処理部１０００２でのデータ処理結果を表示する表示デバイスを含み、例えば液晶ディスプレイとそれを表示動作させるのに必要なドライブ回路とを含む、適宜の表示装置を備える。
【００２８】
次に、携帯端末装置１００００の各機能を実現するプログラムについて説明する。各プログラムは例えば記憶装置１０００４に格納してあり、必要に応じて例えば制御部１０００５のメモリに読み出されてＣＰＵにより実行されることで各プログラムによる機能が実現される。
【００２９】
本実施形態では、これらプログラムが実行されることにより実現される機能ブロックが、データ処理部１０００２に実装されているものとして説明する。本実施形態では、図示を省略するが、これらのプログラムは、車両画像取得プログラム、ＩＣタグ情報取得プログラム、ＧＰＳ位置情報取得プログラム、データベース管理プログラム、表示プログラム、印刷処理プログラム、データ格納プログラム、データ送信プログラム、データ受信プログラム、及び前記各プログラムの起動を制御する起動プログラムを含む。
【００３０】
車両画像取得プログラムは、撮影機能部１０００６を制御して、撮影機能部１０００６の撮像デバイスを通じて取締り対象車両の画像データを取得する機能を有する。
【００３１】
ＩＣタグ情報取得プログラムは、ＩＣタグリーダライタ１０００９によりＩＣタグ１００２０から車両情報を、パーキングチケットに付されたＩＣタグ１００１９から発給情報を取得して記憶装置１０００４に格納する機能を有する。
【００３２】
ＧＰＳ位置情報取得プログラムは、ＧＰＳ機能部１０００７により駐車車両の位置情報を取得して記憶装置１０００４に格納する機能を有する。
【００３３】
データベース管理プログラムは、前記車両情報と位置情報とをコードＤＢ１０００３の各テーブル（後述）と照合して該当する違反態様候補を抽出する機能を有する。具体的には、違反態様選択プログラム及び違反態様候補抽出プログラムを含んでいる。
【００３４】
違反態様選択プログラムは、後述する違反態様候補選択画面１８０００において、違反態様候補の大分類、中分類、小分類を、後述する違反態様候補選択画面１８０００において選択可能とする。
【００３５】
違反態様候補抽出プログラムは、前記した前記車両情報と位置情報とをコードＤＢ１０００３の各テーブルと照合して該当する違反態様候補を抽出する機能を有する。なお、本実施形態にあっては、この違反態様候補抽出プログラムには、対象のナンバープレートに取り付けられたＩＣタグ１００２０から取得した車両番号に基づいて、対象車両が盗難車であるか否かを切り分けする盗難車確認プログラムが含まれている。
【００３６】
表示プログラムは、抽出した違反態様候補を一覧形式として表示部に表示する機能を有する。  
印刷処理プログラムは、違反態様の選択入力情報を取得して該当する違反態様に対応する確認標章の印刷情報を作成しプリンタ１００１３に送信する機能を有する。
【００３７】
データ格納プログラムは、選択した違反態様情報と処理ログとを記憶装置１０００４に格納して処理を終了する機能を有する。
【００３８】
データ送信プログラムは、各警察署に設置される警察署サーバ１００３０に記憶装置１０００４に格納した情報を送信する機能を有する。
【００３９】
データ受信プログラムは、警察署サーバ１００３０からコードＤＢ１００１４の情報を受信して自身のコードＤＢ１０００３に格納する機能を有する。
【００４０】
また前記のほかに、本実施形態では、パーキングメータ処理プログラム、パーキングチケット処理プログラム、違反態様選択プログラム、及び違反態様候補抽出プログラムが記憶装置１０００４に格納され、データ処理部１０００２において各プログラムによる機能がそれぞれの機能ブロックとして実現されるように構成されている。
【００４１】
パーキングメータ処理プログラムは、パーキングメータとのデータ通信処理を制御するとともに、後述するパーキングメータ通信画面を携帯端末装置１００００の表示部１００２１に表示する機能を有する。またパーキングメータ処理プログラムは、パーキングメータ１００１２の感知テーブル１００２３から格納した駐車開始時刻情報を、時計機能部１０００８から現在時刻を取得してこれらに基づいて超過時間を計算する機能を有する。
【００４２】
パーキングチケット処理プログラムは、パーキングチケット発給機１００１１とのデータ通信を制御するとともに、後述するパーキングチケット通信画面を携帯端末装置１００００の表示部１００２１に表示する機能を有する。またパーキングチケット処理プログラムは、パーキングチケット発給機１００１１の発給テーブル１００２２から格納した発給情報を、時計機能部１０００８から現在時刻を取得してこれらに基づいて超過時間を計算する機能を有する。
【００４３】
次に、警察署サーバ１００３０について説明する。警察署サーバ１００３０は、コードＤＢ１００１４と、管理データベース１００３３とを備える。警察署サーバ１００３０は、他に通常のサーバの機能である制御部１００３１、入力部１００３２、通信制御部１００１５、及びデータ処理部１００３３を備えるが、これらの機能については、携帯端末装置１００００の対応する部分の機能に関する説明に譲り、ここでは省略する。
【００４４】
コードデータＤＢ１００１４は、携帯端末装置１００００に備えられているコードＤＢ１０００３の親情報を格納しているデータベースである。
【００４５】
管理データベース１００３３は、複数の携帯端末装置１００００から取得した放置駐車取締りに係る情報を格納する機能を有する。
【００４６】
次に、本部サーバ１００４０について説明する。各警察本部に設置される本部サーバ１００４０は、コードＤＢ１００１７、及びマスタデータベース（以下「マスタＤＢ」という。）１００４３を備える。本部サーバ１００４０は、他に通常のサーバの機能である制御部１００４１、入力部１００４２、通信制御部１００１６、及びデータ処理部１００４２を備えるが、これらの機能については、携帯端末装置１００００の対応する部分の機能に関する説明に譲り、ここでは省略する。
【００４７】
次に、コードＤＢ１０００３、１００１４、１００１７について説明する。図２に本実施形態におけるコードＤＢ１０００３、１００１４、１００１７に含まれるデータテーブルの例を示す。本実施形態では、本部サーバ１００４０に格納されているコードＤＢ１００１７のデータを各警察署サーバ１００３０のコードＤＢ１００１４、及び各携帯端末装置１００００のコードＤＢ１０００３に送信することになるので、これら３つのデータベースの内容は同じである。
【００４８】
本実施形態におけるコードＤＢ１０００３、１００１４、１００１７は、盗難車情報テーブル１００３、区画座標情報テーブル１００４、区画違反態様情報テーブル１００５、違反態様情報テーブル１００６、周辺設置物情報テーブル１００７、区画設置物情報テーブル１００８、及び設置物違反態様情報テーブル１００９を備える構成とされている。
【００４９】
まず、盗難車情報テーブル１００３について説明する。図１０に盗難車情報テーブル１００３のデータ例を示す。盗難車情報テーブル１００３は、取締り対象となる車両に付された固有の番号である車両番号、すなわち車両のナンバープレートに記載されている番号を記録している。本実施形態では、その車両番号を陸運支局名データ１００３−１、分類番号１００３−２（普通乗用車、小型乗用車等の分類）、用途番号１００３−３（分類番号ごとに規定されているひらがな一文字）、一連番号１００３−４に分けた形で格納している。車両番号情報の他に、必要に応じて車種を示す情報を加えてもよい。
【００５０】
次に、区画座標情報テーブル１００４について説明する。図６に区画座標情報テーブル１００４のデータ例を示す。区画座標情報テーブル１００４は、Ｘ軸上の開始点と終了点（Ｘ１、Ｘ２）、Ｙ軸上の開始点と終了点（Ｙ１、Ｙ２）の４つの位置座標で囲まれる原則矩形の領域により、駐車取締りの条件単位となる区画の範囲を示しそれぞれに固有の区画コード１００４−１を対応づけて記録したものである。携帯端末装置１００００のデータ処理部１０００２は、この区画座標情報テーブル１００４とＧＰＳ機能部１０００７で取得したＸ座標及びＹ座標とを照合して、駐車位置がどの区画に対応するかを判定する。
【００５１】
次に、区画違反態様情報テーブル１００５について説明する。図５に区画違反態様情報テーブル１００５のデータ例を示す。このテーブルは前記区画座標情報テーブル１００４と後述する違反態様情報テーブル１００６との対応付けを示すリンクテーブルであり、各区画コード１００５−１と対応する違反態様コード１００５−２とを格納している。
【００５２】
次に、違反態様情報テーブル１００６について説明する。図７に違反態様情報テーブル１００６のデータ例を示す。違反態様情報テーブル１００６は、１つの違反態様の大分類１００６−２、中分類１００６−３、小分類１００６−４を違反態様コード１００６−１と対応付けて格納したものである。違反態様の大分類１００６−２、中分類１００６−３、小分類１００６−４は、例えば図７に例示されているように、「放置駐車（駐停車禁止）」という大分類の中で、どのような態様で違反が行われたのかをより詳細に記述しているものである。
【００５３】
次に、周辺設置物情報テーブル１００７について説明する。図９に周辺設置物情報テーブル１００７のデータ例を示す。周辺設置物情報テーブル１００７は、前記違反態様情報テーブル１００６にある放置駐車の分類に関連し、違反の点数や罰金の額に影響を与える道路交通法上、あるいは自治体の独自条例上で扱う「設置物」のコード１００７−１とその設置物の名称１００７−２を対応付けて格納するものである。
【００５４】
次に、区画設置物情報テーブル１００８について説明する。図８に区画設置物情報テーブル１００８のデータ例を示す。区画設置物情報テーブル１００８は、周辺設置物情報テーブル１００７に記録されている各設置物がどの区画に設置されているかを示すために、区画コード１００８−１と設置物コード１００８−２とを対応付けて記録したリンクテーブルである。
【００５５】
次に、設置物違反態様情報テーブル１００９について説明する。図１１に設置物違反態様情報テーブル１００９のデータ例を示す。設置物違反態様情報テーブル１００９は、設置物コード１００９−１と違反態様情報テーブル１００６に記録されているのと同じ違反態様コード１００９−２とを対応付けて記録しているリンクテーブルである。
【００５６】
次に、パーキングチケット発給機１００１１及びパーキングメータ１００１２について説明する。パーキングチケット発給機１００１１には、本実施形態に係る構成として、パーキングチケットを発給した時刻１００２２−２を発給したＩＣタグのＩＤ番号１００２２−１と対応付けて格納する発給テーブル１００２２を備えるとともに、他に図示しないがＩＣタグ１００１９付きのパーキングチケットを発行する機能一式と、携帯端末装置１００００からの送信要求に対して情報を送信する通信機能とを備える。なお、ＩＣタグ１００１９に付与するＩＤは、互いに識別可能な番号体系を定めて採用すればよい。
【００５７】
パーキングメータ１００１２も同様に、本実施形態に係る構成として、車両が駐車位置に位置した、即ち駐車を開始したことを感知した日付１００２３−２と時刻１００２３−３とを、それぞれに連続番号１００２３−１を対応づけた上で格納する感知テーブル１００２３を備えるとともに、パーキングメータとしての通常の機能一式と、携帯端末装置１００００からの送信要求に対して情報を送信する通信機能とを備える。
【００５８】
図３に感知テーブル１００２３のデータ例を示す。ここでは連続番号である識別番号（カウンタ）１００２３−１に対応付けて、車両感知日（駐車開始日）１００２３−２、車両感知時刻（駐車開始時刻）１００２３−３を格納している。図４に発給テーブル１００２２のデータ例を示す。ここではパーキングチケットに添付したＩＣタグ１００１９のＩＤ番号１００２２−１に対応付けて発給時刻１００２２−２を格納している。
【００５９】
次に、本実施形態で扱う放置駐車違反のパターンについて、簡単に説明する。図１２から図１５に、放置駐車違反のパターン例の模式図を示す。図１２は、一般的な駐車違反区域（ここでは横断歩道１０１３の上）に放置駐車している現場の例である。図１３は、パーキングメータ２０１３の設置場所に時間超過して放置駐車している現場の例である。図１４は、パーキングチケット発給機３０１３で時間管理する時間貸し駐車場で時間超過して放置駐車している現場の例である。図１５は、違反態様に車両周辺の設置物が影響を与える例であり、ここでは消火栓４０１３の近傍に放置駐車している現場の例である。
【００６０】
次に、本実施形態に係る違反態様入力支援システム１による取締り時の処理の流れを説明する。図１６及び図１７は、その取締り時の処理の流れを示すフローチャートである。
【００６１】
まず図１６で、警察官又は監視員は放置駐車車両を発見すると携帯端末装置１００００を起動する（ステップ５０１１）。起動後、携帯端末装置１００００のデータ処理部１０００２に格納する起動プログラムがまず車両画像取得プログラムを立ち上げる。
【００６２】
車両画像取得プログラムは、撮影機能部１０００６を起動し、まず図１８に例示する車両番号読み取り画面１５０００を表示部１００２１に表示する。ここでは符号１５００１で示す部分が撮影機能部１０００６のカメラに写った画像で、画像の下部に、撮影ボタン１５００２、次操作へ移るボタン１５００３を表示する。車両画像取得プログラムが撮影ボタン１５００２のクリック情報を取得して、撮影機能部１０００６により放置車両のナンバープレート画像を撮影し記憶装置１０００４に格納する（ステップ５０１２）。
【００６３】
次に起動プログラムは、前記次操作へ移るボタン１５００３のクリック情報を取得して、データ処理部１０００２に格納するＩＣタグ情報取得プログラムへ処理を移す。ＩＣタグ情報取得プログラムは、携帯端末装置１００００に接続されているＩＣタグリーダライタ１０００９を起動し、対象放置車両に取り付けられたナンバープレートのＩＣタグ１００２０に格納されている放置車両の車両番号（及び、該当する場合には車種）のデータを取得し記憶装置１０００４に格納する（ステップ５０１３）。
【００６４】
起動プログラムは、ＩＣタグ情報取得プログラムからＩＣタグ１００２０に記録されていた情報の格納が正常に完了した旨の通知を受けて、データ処理部１０００２にて違反態様候補を抽出するプログラムの１つである盗難車確認プログラムを起動し、前記格納した車両番号を、前記図１０に示す盗難車情報テーブル１００３の情報と照合する（ステップ５０１４）。
【００６５】
該当情報があった場合、即ち盗難車に該当する場合（ステップ５０１５）、盗難車確認プログラムは図１９に例示する盗難車該当警告画面１６０００を表示する（ステップ５０１６）。この例の盗難車該当警告画面１６０００では図１８のカメラ撮影画像に重ねる形で「はい」・「いいえ」ボタンを持つメッセージボックス１６００１を表示し、違反態様を確認する処理へ移るかどうかの入力を待つ。盗難車としての取締り処理を優先するか、放置駐車としての取締りを優先するかは、警察官又は監視員が判断して決定する。
【００６６】
図１９の「いいえ」ボタン１６００２のクリック情報を取得した場合（ステップ５０１７）、盗難車確認プログラムは起動プログラムに終了指示情報を送り、起動プログラムは携帯端末装置１００００の処理を終了する（ステップ５０１８）。図１９の「はい」ボタン１６００４のクリック情報を取得した場合（ステップ５０１７）、盗難車確認プログラムは起動プログラムに次へ進む指示情報を送り、起動プログラムはデータ処理部１０００２にてＧＰＳ情報取得プログラムを起動する。
【００６７】
ＧＰＳ情報取得プログラムはＧＰＳ機能部１０００７を起動し、図２０に例示する違反場所住所入力画面１７０００を携帯端末装置１００００の表示部１００２１に表示する（ステップ５０３５）。ＧＰＳ情報取得プログラムはこの画面の現在地取得ボタン１７００２のクリック情報を取得して、ＧＰＳ機能部１０００７により現在地の地理座標情報（Ｘ−Ｙ軸情報）を取得し、記憶装置１０００４に格納する（ステップ５０１９）。
【００６８】
この時コードＤＢ１０００３の中に位置座標と住所を対応付けたテーブルや区画に対応する地図データを予め記録しておくと、図２０の違反場所住所１７００１とそれに対応した地図１７００５を自動取得して表示することができ、また違反場所住所１７００１を記憶装置１０００４に自動的に格納させることができる。前記テーブルを備えていない場合には、住所情報は携帯端末装置１００００の入力部１０００１により取締り業務を行う者がキーイン等を通じて入力して記憶装置１０００４に格納する。
【００６９】
ＧＰＳ情報取得プログラムは図２０の「前へ」ボタン１７００４のクリック情報を取得すると、起動プログラムに前処理へ戻る指示情報を送り、起動プログラムは前処理の画面へ戻る。ＧＰＳ情報取得プログラムは図２０の「次へ」ボタン１７００３のクリック情報を取得すると、起動プログラムに次処理へ進む指示情報を送り、起動プログラムは次処理のプログラムである違反態様候補を抽出するプログラムの１つである違反態様候補照合プログラムをデータ処理部１０００２にて起動する。
【００７０】
違反態様候補照合プログラムは、まず前記ＧＰＳ位置情報取得プログラムにより取得して記憶装置１０００４に格納した現在地の地理座標情報（Ｘ−Ｙ軸情報）を図６に示す区画座標テーブル１００４と照合し、放置車両の現在地座標に対応する区画コード１００４−１を取得する。次に違反態様候補照合プログラムは、取得した区画コード１００４−１を図５に示す区画違反態様情報テーブル１００５と照合して対応する違反態様コード１００５−２を取得する。
【００７１】
次に違反態様候補照合プログラムは、取得した違反態様コード１００５−２を図７に示す違反態様情報テーブル１００６と照合して対応する違反態様情報である大分類１００６−２、中分類１００６−３、小分類１００６−４を取得する（ステップ５０３０）。ここで前記区画違反態様情報テーブル１００５との照合結果は必ずしも１つでなく、１つの区画コード１００５−１に対し、複数の違反態様コード１００５−２が対応する場合もある。これに対して、違反態様コード１００６−１と大分類１００６−２、中分類１００６−３、及び小分類１００６−４の組である違反態様情報との対応は一対一である。
【００７２】
次に違反態様候補照合プログラムは、取得した区画コード１００４−１を図８に示す区画設置物情報テーブル１００８と照合して対応する設置物コード１００８−２を取得する。さらに次に違反態様候補照合プログラムは、取得した設置物コード１００８−２を図９に示す周辺設置物情報テーブル１００７と照合し、周辺に存在している設置物の情報である設置物名称データ１００７−２を取得する（ステップ５０５０）。ここでの対応も前記と同様に区画設置物情報テーブル１００８との照合結果は必ずしも１つでなく、１つの区画コード１００８−１に対し複数の設置物コード１００８−２が対応する場合がある。これに対して設置物コード１００７−１と周辺設置物情報である設置物名称データ１００７−２との対応は一対一である。この先の処理は図１７に引き続き示す。
【００７３】
図１７を参照すると、前記処理で設置物がないと判定された場合、すなわち対象車両周辺にパーキングメータ２０１３もパーキングチケット発給機３０１３も無い場合（ステップ５０２１）、違反態様候補照合プログラムは規定の駐車場所ではなく路上の駐車（「放置駐車（駐車禁止）」）と判断して、前記ステップ５０３０の処理で取得した違反態様情報である大分類１００６−２、中分類１００６−３、小分類１００６−４を記憶装置１０００４に格納し、起動プログラムに制御を移す。
【００７４】
起動プログラムはデータ処理部１０００２に格納する抽出した違反態様候補を表示部１００２１に表示し選択入力情報を取得する違反態様選択プログラムを起動し、図２１の違反態様候補選択画面１８０００に違反態様候補の大分類欄１８００１と中分類欄１８００２とを表示し、違反態様の選択を待つ（ステップ５０３１）。この先の処理は設置物がある場合と共通なので後述する。
【００７５】
以下、ステップ５０５０の処理で設置物があったと判定された場合の処理を説明する。違反態様候補照合プログラムは、対応する区画コード１００８−１に設置物情報（設置物コード１００８−２）があると判定した場合（ステップ５０２１）、設置物コード１００８−２がパーキングメータ２０１３であるかどうかを確認する（ステップ５０２２）。
【００７６】
設置物がパーキングメータ２０１３であると判定された場合、違反態様候補照合プログラムはその旨の情報を起動プログラムに送信し、起動プログラムはデータ処理部１０００２にてパーキングメータ処理プログラムを起動する。パーキングメータ処理プログラムは、図２２に示すようなパーキングメータ通信画面を携帯端末装置１００００の表示部１００２１に表示し、パーキングメータが存在している旨のメッセージ表示１９００１を画面表示する（ステップ５０３５）。
【００７７】
パーキングメータ処理プログラムは、図２２のパーキングメータ通信画面１９０００の情報取得通信ボタン１９００５のクリック情報を取得して、パーキングメータ１００１２と通信を開始する（ステップ５０２３）。パーキングメータ処理プログラムは、パーキングメータ１００１２の備える感知テーブル１００２３の最後のレコードの情報、即ち現在駐車している車両の感知日である駐車開始日１００２３−２と、感知時刻である駐車開始時刻１００２３−３とを取得する。
【００７８】
次にパーキングメータ処理プログラムは、時計機能部１０００８から現在時刻データを取得して、前記駐車開始日及び開始時刻の情報から現在までの駐車時間を算出し、予めプログラム中に設定した駐車可能時間を減算して、超過時間を算出し、携帯端末装置１００００の記憶装置１０００４に格納する（ステップ５０２４）。パーキングメータ処理プログラムは、現在時刻と格納した超過時間の情報を図２２のパーキングメータ通信画面１９０００の超過時間表示欄１９００２に表示し、次処理の指示を待つ。
【００７９】
パーキングメータ処理プログラムは「次へ」ボタン１９００４のクリック情報を取得すると、次処理へ進む旨の情報を起動プログラムに送信し、起動プログラムはデータ処理部１０００２にて違反態様候補照合プログラムを再起動し、ステップ５０３１の処理に移る。
【００８０】
前記ステップ５０２２の処理で設置物がパーキングメータ１００１２でないと判定された場合、違反態様候補照合プログラムは次に設置物がパーキングチケット発給機１００１１であるかどうかを判断する（ステップ５０２５）。設置物がパーキングチケット発給機１００１１の場合、違反態様候補照合プログラムはその旨の情報を起動プログラムに送信し、起動プログラムはデータ処理部１０００２にてパーキングチケット処理プログラムを起動する。パーキングチケット処理プログラムは、図２３に示すようなパーキングチケット通信画面２００００を携帯端末装置１００００の表示部１００２１に表示し、パーキングチケット発給機１００１１が存在している旨のメッセージ表示２０００１を画面表示する（ステップ５０３４）。
【００８１】
パーキングチケット処理プログラムは、携帯端末装置１００００のＩＣタグリーダライタ１０００９を起動し、パーキングチケットのＩＣタグ１００２０に記録されている情報を取得し、ＩＣタグ１００１９に格納されたＩＣタグＩＤ（車両番号データ）を取得し記憶装置１０００４に格納する（ステップ５０２７）。次にパーキングチケット処理プログラムは、図２３のパーキングチケット通信画面の情報取得通信ボタン２００４のクリック情報を取得して、パーキングチケット発給機１００１１と通信を開始する（ステップ５０２８）。
【００８２】
パーキングチケット処理プログラムは、パーキングチケット発給機１００１１の備える発給テーブル１００２２の中の前記格納したＩＣタグＩＤ（車両番号）１００２２−１に対応するレコードの情報、即ちチケット発給時刻１００２２−２を取得する。次にパーキングチケット処理プログラムは、時計機能部１０００８から現在時刻データを取得して、前記チケット発給時刻１００２２−２の情報から現在までの駐車時間を算出し、予めプログラム中に設定した駐車可能時間を減算して、超過時間を算出し、携帯端末装置１００００の記憶装置１０００４に格納する（ステップ５０２９）。パーキングチケット処理プログラムは、現在時刻と格納した超過時間の情報を図２３のパーキングチケット通信画面２００００の超過時間表示欄２０００２に表示し、次処理の指示を待つ。
【００８３】
パーキングチケット処理プログラムは「次へ」ボタンクリック情報を取得すると、次処理へ進む旨の情報を起動プログラムに送信し、起動プログラムはデータ処理部１０００２にて違反態様候補照合プログラムを再起動し、ステップ５０３１の処理に移る。
【００８４】
前記ステップ５０２５の処理で設置物がパーキングチケット発給機１００１１でないと判定された場合、違反態様候補照合プログラムは図２４に例示する周辺設置物確認画面２１０００に周辺設置物が存在している旨を確認するメッセージ２１００１を表示し、「確認」ボタン２１００２、「未確認」ボタン２１００５を表示して入力を待つ。このメッセージは、あらかじめ作成して記憶装置１０００４等に格納しておいた定型文と前記ステップ５０５０の処理で取得した設置物情報の名称（設置物名称データ１００７−２）を組み合わせて表示する。
【００８５】
このメッセージに示された設置物があることを、携帯端末装置１００００を携行している警察官又は監視員が確認したら、「確認」ボタン２１００２をクリックし、設置物が既に無い場合は「未確認」ボタン２１００５をクリックする。違反態様候補照合プログラムは「確認」ボタン２１００２のクリック情報を取得すると、設置物コード１００７−１と図１１に示す設置物違反態様情報テーブル１００９の情報を照合して該当する違反態様コード１００９−２を取得し、違反態様コードを図７に示す違反態様情報テーブル１００６と照合して、対応する違反態様情報（大分類１００６−２、中分類１００６−３、小分類１００６−４）を取得し、ステップ５０３０の処理で作成した違反態様情報に追加して、次処理の指示を待つ（ステップ５０２６）。
【００８６】
違反態様候補照合プログラムは「次へ」ボタン２１００３のクリック情報を取得すると、起動プログラムに制御を移しステップ５０３１の処理に移る。違反態様候補照合プログラムが「未確認」ボタン２１００５のクリック情報を取得すると、追加処理を実施せずに次処理の指示を待つ。
【００８７】
前記の処理により画面表示する違反態様の抽出が完了した後、起動プログラムはデータ処理部１０００２にて違反態様選択プログラムを起動し、前述した図２１の違反態様候補選択画面１８０００において、違反態様候補の大分類欄１８００１に該当情報の大分類一覧を表示し、大分類の選択を待つ。違反態様選択プログラムは大分類の選択入力を取得すると、前記抽出及び格納した違反態様情報から選択した大分類１００６−２に該当する中分類１００６−３を表示し、中分類１００６−３の選択を待つ。違反態様選択プログラムは同様にして小分類１００６−４までの選択情報を取得する（ステップ５０３１）。
【００８８】
違反態様選択プログラムは小分類１００６−４までの選択情報を取得し、図２１の違反態様候補選択画面１８０００で「次へ」ボタン１８００３のクリック情報を取得すると、選択された違反態様情報を記憶装置１０００４に格納し、起動プログラムに次処理へ進む旨の情報を送信して制御を移す。
【００８９】
起動プログラムは、データ処理部１０００２にて印刷処理プログラムを起動し、前記選択された違反態様情報とステップ５０１３で記憶装置１０００４に格納した車両情報とステップ５０１９で記憶装置１０００４に格納した住所情報と時計機能部１０００８から取得した日時情報とを標章番号を付与して標章情報として作成し、プリンタ１００１３に送信して標章印刷処理を実施する（ステップ５０３２）。印刷処理プログラムの出力完了指示を受けて、起動プログラムは記憶装置１０００４に格納した情報と前記標章情報と処理ログとを対応付けて本件取締りの記録として記憶装置１０００４に格納し、格納後全プログラムを終了し、携帯端末装置１００００における処理を終了する（ステップ５０３３）。
【００９０】
ここで携帯端末装置１００００の記憶装置１０００４に格納した取締り記録情報は、警察官・監視員が携帯端末装置１００００と各警察署サーバ１００３０を通信ネットワーク１００５０によって接続し、各警察署サーバ１００３０の管理ＤＢ１００３３に送信して格納する。さらに各警察署の警察署サーバ１００３０の管理ＤＢ１００３３に格納された情報は、各警察署サーバ１００３０が定期的に警察本部の本部サーバ１００４０に通信ネットワーク１００５１を通じてアクセスして、本部サーバ１００４０のマスタＤＢ１００４３に格納する。
【００９１】
次に、各警察本部に設置されている本部サーバ１００４０が備えるコードＤＢ１００１７（警察署サーバ１００３０に設けられているコードＤＢ１００１４のマスターデータを格納している。）から各警察署の警察署サーバ１００３０のコードＤＢ１００１４にデータを配信する処理を説明する。図２５は、本部サーバ１００４０から各警察署サーバ１００３０のコードＤＢ１００１４にデータを配信する処理のフロー図である。
【００９２】
本部サーバ１００４０におけるコード情報の入力は、データ処理部１００４２の機能により例えば後述する図２６に示す区画違反態様情報登録画面６００や、図２７に示す周辺設置物情報登録画面９００から取得し（ステップ７０１２）、入力が終了しデータ処理部１００４２が更新したコードＤＢ１００１７の情報を、本部サーバ１００４０は各警察署サーバ１００３０に通信ネットワーク１００５１を通じて配信する（ステップ７０１３）。各警察署サーバ１００３０のデータ処理部１００３３は、配信されたコードＤＢ１００１７の情報をコードＤＢ１００１４の情報と置換して格納する。
【００９３】
なお、各警察署サーバ１００３０から本部サーバ１００４０への前記取締り情報の送信は図２５に図示する処理と同様で、送信元と送信先が逆になるだけである。またコードＤＢ１００１７、１００１４間では格納データの全置換処理であるが、各警察署サーバ１００３０の管理ＤＢ１００３３に格納した取締り記録情報は、警察本部の本部サーバ１００４０のマスタＤＢ１００４３に追加登録される。
【００９４】
次に、区画違反態様情報の新規・更新登録処理について説明する。図２６は、区画違反態様情報を新規・更新登録する画面の例である。登録画面６００は地図の中心地住所６００２、地図６００１、違反態様を関連付ける区画６００９、区画のコード６００３、違反態様の一覧６００４、区画に関連付けたい違反態様の一覧６００６、区画に関連付ける違反態様を追加するボタン６００８、削除するボタン６００５、区画と関連付けた違反態様を登録するボタン６００７から構成される。
【００９５】
この処理は、例えば携帯端末装置１００００の記憶装置１０００４に格納した区画違反態様情報登録処理プログラムをデータ処理部１０００２にて実行することにより実現される。このプログラムにより、例えば携帯端末装置１００００に登録されている区画６００９をコードＤＢ１００１７から読み出して、それに関する違反態様情報データを変更することができる。あるいは携帯端末装置１００００の表示部１００２１にＧＰＳ位置情報取得プログラムによって取得された携帯端末装置１００００の現在位置に基づいて地図情報を表示し、その表示部１００２１に設けられたタッチスクリーンインターフェイスを介して対象区画６００９を入力し、さらに関連するテーブルを対応づけてあらたな区画６００９と対応する違反態様情報を生成させることもできる。
【００９６】
また、図２７には、携帯端末装置１００００において周辺設置物情報を新規・更新登録する画面の例を示す。図２６と同様、登録画面９００は、地図の中心地住所９００２、地図９００１、違反態様を関連付ける区画９００９、区画のコード９００３、周辺設置物の一覧９００４、区画に関連付けたい周辺設置物の一覧９００６、区画に関連付ける周辺設置物を追加するボタン９００８、削除するボタン９００５、区画と関連付けた周辺設置物を登録するボタン９００７を備えて構成される。
【００９７】
この処理は、例えば携帯端末装置１００００の記憶装置１０００４に格納した周辺設置物情報更新登録処理プログラムをデータ処理部１０００２にて実行することにより実現される。このプログラムにより、例えば携帯端末装置１００００に登録されている区画６００９をコードＤＢ１００１７から読み出して、それに関する設置物情報データを変更することができる。あるいは携帯端末装置１００００の表示部１００２１にＧＰＳ位置情報取得プログラムによって取得された携帯端末装置１００００の現在位置に基づいて地図情報を表示し、その表示部１００２１に設けられたタッチスクリーンインターフェイスを介して対象区画９００９を入力し、さらに関連するテーブルを対応づけてあらたな区画９００９と対応する設置物情報を生成させることもできる。
【００９８】
次に、各警察署の警察署サーバ１００３０から携帯端末装置１００００へデータを配信する処理を説明する。図２８は、各警察署サーバ１００３０から携帯端末装置１００００へデータを配信する処理のフロー図である。携帯端末装置１００００と警察署サーバ１００３０を閉じた通信ネットワーク１００５０を通じて、あるいは直接接続し、通信を開始する（ステップ８０１２）。「直接接続」とは、有線あるいは無線の通信リンクによって他の通信要素を介さずに接続すること全般を含む意図である。
【００９９】
警察署サーバ１００３０に備えられるコードＤＢ１００１４の情報は携帯端末装置１００００に配信され、携帯端末装置１００００のデータ処理部１００１０は、これを受信して配信されたコードＤＢ１００１４の情報をコードＤＢ１０００３の情報と置換して格納する（ステップ８０１３）。以上のようにしてマスタとなる警察本部の本部サーバ１００４０の備えるコードＤＢ１００１７と各警察署の警察署サーバ１００３０の備えるコードＤＢ１００１４と各携帯端末装置１００００の備えるコードＤＢ１０００３に格納されているデータの同一性が保たれる。
【０１００】
なお前記取締り情報の携帯端末装置１００００から警察署の警察署サーバ１００３０への送信は図２８の処理と同様で、送信元と送信先が逆になるのみである。またコードＤＢのデータ送受信では格納されている全データの置換処理であるが、携帯端末装置１００００の記憶装置１０００４に格納した取締り記録情報は、各警察署サーバ１００３０の管理ＤＢ１００３３に追加登録される。
【０１０１】
次に、パーキングメータ１００１２における駐車の記録である感知テーブル１００２３のデータ登録とデータ送信処理の流れを図２９により説明する。ここでパーキングメータ１００１２は簡易な端末装置と同じ程度の、いいかえれば一般的ないわゆるモバイルＰＣに設けられているのと同等の制御部、通信制御部、データ処理部、記憶装置、及び時計機能部を備えていることとする。
【０１０２】
パーキングメータ１００１２は車両の駐車を感知する（ステップ１２０１２）と、自装置の備える時計機能部から日時情報を取得し、図３の感知テーブル１００２３に新規番号１００２３−１を採番してレコードを作成し、車両感知日１００２３−２と車両感知時刻１００２３−３を対応付けて格納する（ステップ１２０１３）。この車両感知プログラムとテーブル情報追加プログラムはパーキングメータ１００１２の記憶装置に格納しておき、データ処理部にて実行されるものとすればよい。
【０１０３】
前記車両感知機能には、車両の重量を感知する方法を採用しても、ナンバープレートのＩＣタグ１００２０からデータを読み取る方法を採用してもよい。重量感知の場合は、駐車終了後重量が０になり再び重量を感じた時点で車両感知とする。例えば、パーキングメータ１００１２に接続する重量センサを設置し、これを駐車車両の前輪又は後輪が踏み越えたことを感知して駐車開始、再度後輪又は前輪が踏み越えたことを感知して駐車終了と判定するなどの手法をとることができる。ＩＣタグ感知の場合は定期的にＩＣタグ情報を受信し、前回と異なるタグ情報を受信した時点で車両感知とする。データ格納後、パーキングメータ１００１２は待機状態となる。
【０１０４】
パーキングメータ１１００３が携帯端末装置１００００からデータ配信要求を受信した場合（１２０１４）、データ処理部によって感知テーブル１００２３の最新のレコードを検索し、携帯端末装置１００００に対して該レコードに格納した車両感知時刻１００２３−１を送信する（ステップ１２０１５）。ここでパーキングメータ１００１２の記憶装置には前記一連の処理を行うプログラムを格納することができるが、携帯端末装置１００００のデータ処理部に感知テーブル１００２３の情報検索・抽出プログラムを持たせ、携帯端末装置１００００からの配信要求を受信して感知テーブル１００２３の全ての情報を送信するプログラムだけを格納してもよい。携帯端末装置１００００からの配信要求が無い場合は、パーキングメータ１１００３は待機状態を継続する（ステップ１２０１６）。
【０１０５】
次に、パーキングチケット発給機１００１１における駐車の記録である発給テーブル１００２２のデータ登録とデータ送信処理の流れを図３０により説明する。ここでパーキングチケット発給機１００１１は、簡易な端末装置と同じ程度の、いいかえれば一般的ないわゆるモバイルＰＣに設けられているのと同等の制御部、通信制御部、データ処理部、記憶装置、及び時計機能部を備えていることとする。
【０１０６】
パーキングチケット発給機１００１１は、利用者の操作によりＩＣタグ付きパーキングチケット１００１９を発給すると（ステップ１４０１２）、自装置の備える時計機能部から日時情報を取得し、ＩＣタグ１００１９のＩＤ１００２２−１と対応付けて、パーキングチケット発給時刻１００２２−２として発給テーブル１００２２の新規レコードに格納する（ステップ１４０１３）。このテーブル情報追加プログラムはパーキングチケット発給機１００１１のデータ処理部にて実行されるものである。
【０１０７】
データ格納後、パーキングチケット発給機１００１１は待機状態となる。パーキングチケットに付されているＩＣタグ１００１９の情報を取得した携帯端末装置１００００から情報データ配信要求とＩＣタグ１００１９のＩＤを受信した場合（ステップ１４０１４）、パーキングチケット発給機１００１１は、前記ＩＤをキーとして発給テーブル１００２２を検索し、前記ＩＣタグのＩＤ１００２２−１に対応するチケット発給時刻１００２２−２を携帯端末装置１００００に対して送信する（ステップ１４０１５）。
【０１０８】
パーキングチケット発給機１００１１のデータ処理部には前記一連の処理を行うプログラムを格納することができるが、携帯端末装置１００００のデータ処理部に発給テーブル１００２２の情報検索・抽出プログラムを持たせ、パーキングチケット発給機１００１１は、携帯端末装置１００００からの配信要求を受信して発給テーブル１００２２の全ての情報を送信するプログラムだけを格納することとしてもよい。携帯端末装置１００００からの配信要求が無い場合は、パーキングチケット発給機１００１１は待機状態を継続する（ステップ１４０１６）。
【０１０９】
以上詳細に説明したように、本実施形態によれば、駐車違反の取締り業務を行う警察官又は監視員が、取締り対象車両の車両番号、車種等の車両情報とともに、適切な違反態様を判定して入力するのを支援することができる。特に、車両の属性情報を正しく入力して放置車両の所有者以外に対して違反金を請求するという問題を防止するだけでなく、放置車両の車種、違反確認日時・駐車場所・道路標識等により決定される違反態様を誤って入力した場合に放置車両の所有者に対して誤った金額の違反金を請求してしまうという問題を防止することができる。また近年増加しているパーキングメータ設置場所や駐車場への放置駐車についても、簡易な方法で違反を検出し、正しい違反態様に対応する確認標章を出力することが可能となる。
【０１１０】
前記第１の情報処理装置は、前記記憶部において、盗難車両についてその車両識別情報を格納してなる盗難車両データベースを備え、前記制御部が、前記取得した車両識別情報をキーとして前記盗難車両データベースを検索する機能と、前記検索の結果により前記盗難車両データベースに前記車両識別情報に一致するデータが存在すると判定した場合に、その判定結果を表示部に表示する機能とを実行することとすれば、取締り対象の車両から、盗難車を容易に識別することができる。
【０１１１】
前記第１の情報処理装置において、前記制御部が、駐車車両の駐車開始時刻データを前記第１の情報処理装置へ送信する機能を備えたパーキングメータと情報を送受信する機能と、前記パーキングメータから前記駐車開始時刻データを取得する機能と、自身の現在時刻データ、前記駐車開始時刻データ、及びあらかじめ記憶している駐車可能時間データとから駐車超過時間を算出する機能と、前記算出した超過時間を前記表示部に表示する機能と、をさらに実行することとすれば、パーキングメータの設置場所における駐車違反の取締りを迅速かつ適正に実施することができる。
【０１１２】
前記第１の情報処理装置において前記制御部が、ＩＣタグを備えたパーキングチケットを発給するパーキングチケット発給機と情報を送受信する機能と、前記パーキングチケットが備えるＩＣタグに格納されている当該パーキングチケットを識別するためのパーキングチケット識別情報を取得する機能と、前記取得したパーキングチケット識別情報に対応づけられている発給時刻データを前記パーキングチケット発給機から取得する機能と、自身の現在時刻データ、前記発給時刻データ、及びあらかじめ記憶している駐車可能時間データとから駐車超過時間を算出する機能と、算出した超過時間を前記表示部に表示する機能と、をさらに実行することとすれば、パーキングチケット発給機設置場所における駐車違反の取締りを迅速かつ適正に実施することができる。
【０１１３】
前記制御部が、さらに、駐車車両の画像データを取得する機能と、駐車車両の駐車位置に対応する住所データを取得する機能と、前記駐車車両の画像データと、前記選択した違反態様の情報と、前記現在時刻データと、前記住所データとから前記駐車車両の違反行為についての確認標章を印刷する機能とを実行することとすれば、駐車違反取締り業務に付随する確認標章の発行を、迅速かつ誤りなく行うことができる。
【図面の簡単な説明】
【０１１４】
【図１】本発明の一実施形態による違反態様入力支援システムの全体構成図である。
【図２】コードＤＢ１００３３に含むテーブル例を示す図である。
【図３】感知テーブル１００２３のデータ例を示す図である。
【図４】発給テーブル１００２２のデータ例を示す図である。
【図５】区画違反態様情報テーブル１００５のデータ例を示す図である。
【図６】区画座標情報テーブル１００４のデータ例を示す図である。
【図７】違反態様情報テーブル１００６のデータ例を示す図である。
【図８】区画設置物情報テーブル１００８のデータ例を示す図である。
【図９】周辺設置物情報テーブル１００７のデータ例を示す図である。
【図１０】盗難車情報テーブル１００３のデータ例を示す図である。
【図１１】設置物違反態様情報テーブル１００９のデータ例を示す図である。
【図１２】一般的な駐車違反区域の放置駐車状況を示す模式図である。
【図１３】パーキングメータ設置場所の放置駐車状況を示す模式図である。
【図１４】パーキングチケット発給機設置場所の放置駐車状況を示す模式図である。
【図１５】設置物がある場合の放置駐車状況を示す模式図である。
【図１６】本実施形態の違反態様入力支援システムによる取締り時の処理を示すフローチャートその１である。
【図１７】本実施形態の違反態様入力支援システムによる取締り時の処理を示すフローチャートその２である。
【図１８】携帯端末装置１００００の撮影画面の例を示す図である。
【図１９】携帯端末装置１００００の盗難車該当警告画面の例を示す図である。
【図２０】携帯端末装置１００００の違反場所住所入力画面の例を示す図である。
【図２１】携帯端末装置１００００の違反態様の選択画面の例を示す図である。
【図２２】携帯端末装置１００００のパーキングメータ通信画面の例を示す図である。
【図２３】携帯端末装置１００００のパーキングチケット発給機通信画面の例を示す図である。
【図２４】携帯端末装置１００００の周辺設置物確認画面の例を示す図である。
【図２５】本部サーバ１００４０から各警察署サーバ１００３０へのコードＤＢ配信処理を示すフローチャートである。
【図２６】携帯端末装置１００００の区画違反態様情報の登録画面の例を示す図である。
【図２７】携帯端末装置１００００の周辺設置物情報の登録画面の例を示す図である。
【図２８】警察署サーバ１００３０から携帯端末装置１００００へのコードＤＢ配信処理を示すフローチャートである。
【図２９】パーキングメータ１００１２における処理の流れを示すフローチャートである。
【図３０】パーキングチケット発給機１００１１における処理の流れを示すフローチャートである。
【符号の説明】
【０１１５】
１  違反態様入力支援システム
１００３  盗難車情報テーブル（盗難車両データベース）
１００４  区画座標情報テーブル（区画情報データベース）
１００５  区画違反態様情報テーブル（違反態様情報データベース）
１００６  違反態様情報テーブル（違反態様情報データベース）
１００７  周辺設置物情報テーブル
１００８  区画設置物情報テーブル
１００９  設置物違反態様情報テーブル
１００００  携帯端末装置（第１の情報処理装置）
１０００１  入力部
１０００２  データ処理部
１０００３、１００１４、１００１７  コードＤＢ
１０００４  記憶装置（記憶部）
１０００５  制御部
１０００６  撮影機能部
１０００７  ＧＰＳ機能部（位置情報取得機能部）
１０００８  時計機能部
１０００９  ＩＣタグリーダライタ（ＩＣタグ情報取得機能部）
１００１０  通信制御部
１００１１  パーキングチケット発給機
１００１２  パーキングメータ
１００１３  プリンタ
１００１９  ＩＣタグ（パーキングチケット添付の）
１００２０  ＩＣタグ（ナンバープレート添付の）
１００２１  表示部
１００２２  発給テーブル
１００２３  感知テーブル
１００３０  警察署サーバ（第２の情報処理装置）
１００４０  本部サーバ
１００５０、１００５１  通信ネットワーク
【図１】
2009294935.tif 000003
【図２】
2009294935.tif 000004
【図３】
2009294935.tif 000005
【図４】
2009294935.tif 000006
【図５】
2009294935.tif 000007
【図６】
2009294935.tif 000008
【図７】
2009294935.tif 000009
【図８】
2009294935.tif 000010
【図９】
2009294935.tif 000011
【図１０】
2009294935.tif 000012
【図１１】
2009294935.tif 000013
【図１２】
2009294935.tif 000014
【図１３】
2009294935.tif 000015
【図１４】
2009294935.tif 000016
【図１５】
2009294935.tif 000017
【図１６】
2009294935.tif 000018
【図１７】
2009294935.tif 000019
【図１８】
2009294935.tif 000020
【図１９】
2009294935.tif 000021
【図２０】
2009294935.tif 000022
【図２２】
2009294935.tif 000023
【図２３】
2009294935.tif 000024
【図２４】
2009294935.tif 000025
【図２５】
2009294935.tif 000026
【図２８】
2009294935.tif 000027
【図２９】
2009294935.tif 000028
【図３０】
2009294935.tif 000029
【図２１】
2009294935.tif 000030
【図２６】
2009294935.tif 000031
【図２７】
2009294935.tif 000032